(57)【要約】【課題】画像形成装置間のデータのコピー／移動の操作性を向上させ、コピー／移動を適切に実行する制御システム及び制御プログラム並びに制御方法の提供。【解決手段】保存元画像形成装置と保存先画像形成装置と制御装置とがネットワーク接続された制御システムにおいて、ｗｅｂサーバ機能を備える保存元画像形成装置は、ｗｅｂブラウザ機能を備える制御装置からの要求に対して、保存先画像形成装置のデータの階層情報を取得し取得した階層情報と自装置のデータの階層情報とを合成した階層情報を制御装置に返信し、制御装置は、保存元画像形成装置のデータと保存先画像形成装置のデータとが合成した階層情報に基づいて表示される画面を表示部に表示させ、該画面でコピー／移動が指示されたら、予め定められたルールに従ってコピー／移動させるデータを特定し該データをコピー先／移動先にコピー／移動する。【選択図】図５
2008262499.tif 000002
【特許請求の範囲】
【請求項１】
ｗｅｂサーバ機能を備えるコピー元／移動元の装置と、コピー先／移動先の装置と、ｗｅｂクライアント機能を備える制御装置と、が通信ネットワークで接続されてなる制御システムにおいて、
前記コピー元／移動元の装置は、前記制御装置からの要求に従って、前記コピー先／移動先の装置に記憶されているデータの階層情報を取得し、取得した階層情報と自装置に記憶されているデータの階層情報とを合成した階層情報を前記制御装置に送信する制御を行い、
前記制御装置は、前記コピー元／移動元の装置に記憶されているデータと前記コピー先／移動先の装置に記憶されているデータとが前記合成した階層情報に基づいて表示される画面を、表示部に表示させる制御を行うことを特徴とする制御システム。
【請求項２】
前記コピー元／移動元の装置又は前記制御装置は、前記画面でコピー／移動が指示された場合に、
指定されたコピー元／移動元の階層と、指定されたコピー先／移動先の階層とに基づいて、コピー／移動させるデータを特定し、特定された前記データを、前記コピー先／移動先に、コピー／移動する制御を行うことを特徴とする請求項１記載の制御システム。
【請求項３】
前記コピー元／移動元の装置又は前記制御装置は、
前記コピー先／移動先の階層が前記コピー元／移動元の階層よりも上位の階層の場合は、前記コピー元／移動元の上位の階層と共に、前記コピー元／移動元を、コピー／移動する制御を行うことを特徴とする請求項２記載の制御システム。
【請求項４】
前記コピー元／移動元の装置又は前記制御装置は、
前記コピー先／移動先の階層が前記コピー元／移動元の階層よりも２階層上位の階層の場合は、前記コピー元／移動元の１階層上位の階層と共に、前記コピー元／移動元を、コピー／移動する制御を行うことを特徴とする請求項２記載の制御システム。
【請求項５】
前記コピー元／移動元の装置又は前記制御装置は、
前記コピー先／移動先の階層が前記コピー元／移動元の階層と同位の階層の場合は、前記コピー先／移動先に、前記コピー元／移動元よりも下位の階層を、コピー／移動する制御を行うことを特徴とする請求項２記載の制御システム。
【請求項６】
コピー先／移動先の装置と、ｗｅｂクライアント機能を備える制御装置と、に通信ネットワークで接続される、ｗｅｂサーバ機能を備えるコピー元／移動元の装置であって、
前記制御装置からの要求に従って、前記コピー先／移動先の装置に記憶されているデータの階層情報を取得し、取得した階層情報と自装置に記憶されているデータの階層情報とを合成した階層情報を前記制御装置に送信する制御を行うことを特徴とするコピー元／移動元の装置。
【請求項７】
ｗｅｂサーバ機能を備えるコピー元／移動元の装置と、コピー先／移動先の装置と、に通信ネットワークで接続される、ｗｅｂクライアント機能を備える制御装置であって、
前記コピー先／移動先の装置から、前記コピー元／移動元の装置に記憶されているデータの階層情報と前記コピー先／移動先の装置に記憶されているデータの階層情報とを合成した階層情報を受信し、前記コピー元／移動元の装置に記憶されているデータと前記コピー先／移動先の装置に記憶されているデータとが前記合成した階層情報に基づいて表示される画面を、表示部に表示させる制御を行うことを特徴とする制御装置。
【請求項８】
前記コピー元／移動元の装置又は前記制御装置で動作するプログラムであって、
コンピュータに、請求項１乃至７のいずれか一に記載の制御を実行させることを特徴とする制御プログラム。
【請求項９】
ｗｅｂサーバ機能を備えるコピー元／移動元の装置と、コピー先／移動先の装置と、ｗｅｂクライアント機能を備える制御装置と、が通信ネットワークで接続されてなる制御システムにおける制御方法であって、
前記コピー元／移動元の装置が、前記制御装置からの要求に従って、前記コピー先／移動先の装置に記憶されているデータの階層情報を取得し、取得した階層情報と自装置に記憶されているデータの階層情報とを合成した階層情報を前記制御装置に送信する第１のステップと、
前記制御装置が、前記コピー元／移動元の装置に記憶されているデータと前記コピー先／移動先の装置に記憶されているデータとが前記合成した階層情報に基づいて表示される画面を、表示部に表示する第２のステップと、を少なくとも有することを特徴とする制御方法。
【請求項１０】
更に、前記画面でコピー／移動が指示された場合に、指定されたコピー元／移動元の階層と指定されたコピー先／移動先の階層とに基づいて、コピー／移動させるデータを特定し、特定された前記データを、前記コピー先／移動先に、コピー／移動する第３のステップを有することを特徴とする請求項９記載の制御方法。
【請求項１１】
前記第３のステップでは、前記コピー先／移動先の階層が前記コピー元／移動元の階層よりも上位の階層の場合は、前記コピー元／移動元の上位の階層と共に、前記コピー元／移動元を、コピー／移動することを特徴とする請求項１０記載の制御方法。
【請求項１２】
前記第３のステップでは、前記コピー先／移動先の階層が前記コピー元／移動元の階層よりも２階層上位の階層の場合は、前記コピー元／移動元の１階層上位の階層と共に、前記コピー元／移動元を、コピー／移動することを特徴とする請求項１０記載の制御方法。
【請求項１３】
前記第３のステップでは、前記コピー先／移動先の階層が前記コピー元／移動元の階層と同位の階層の場合は、前記コピー先／移動先に、前記コピー元／移動元よりも下位の階層を、コピー／移動することを特徴とする請求項１０記載の制御方法。
【発明の詳細な説明】
【技術分野】
【０００１】
本発明は、制御システム及び制御プログラム並びに制御方法に関し、特に、複数の画像形成装置間のデータのコピー／移動を制御する制御システム、画像形成装置、制御装置及び制御プログラム並びに制御方法に関する。
【背景技術】
【０００２】
コピー機能やファクシミリ機能、プリンタ機能、スキャナ機能などを備える複写機や複合機（以下、これらを総称して画像形成装置と呼ぶ。）が普及している。この画像形成装置では、スキャナにより読み取った画像データや外部機器から入力された画像データを紙媒体に出力する処理が行われるが、一旦出力した画像データを他の画像形成装置で出力する場合もある。そこで、複数の画像形成装置間における画像データのコピー／移動を可能にするシステムが提案されている。
【０００３】
例えば、下記特許文献１には、画像提供側複合機は画像ファイルと、画像データをラスターイメージに変換する画像変換ソフトウェアを有し、操作部はこの画像変換ソフトウェアを画像提供側複合機で実行させ、画像データを変換したラスターデータを所望の印刷機能側複合機に転送させて印刷を行う画像形成システムが開示されている。
【０００４】
【特許文献１】特開２００３−２７１３３８号公報
【発明の開示】
【発明が解決しようとする課題】
【０００５】
上記特許文献１は、クライアント側であるＰＣ端末又は携帯端末あるいは印刷機能側複合機からウェブサーバ上のウェブページにアクセスを行い、画像提供側複合機のコピーサーバを選択すると、コピーサーバより操作用ソフトウェアがダウンロードされ、この操作用ソフトウェア上で印刷を指示する構成であり、ＰＣ端末又は携帯端末などの制御装置の表示部には、コピー元／移動元である画像提供側複合機内のデータしか表示されない。そのため、どのデータをコピー先／移動先である印刷機能側複合機に転送すればよいかが分かりづらく、操作性が悪いという問題があった。
【０００６】
また、画像形成装置では、通常、ユーザ／ボックス／ファイルなどの複数の階層構造でデータを管理しているため、ユーザは、コピー元／移動元である画像提供側複合機のデータの階層構造とコピー先／移動先である印刷機能側複合機のデータの階層構造を予めに把握しておかなければならず、操作性が悪いと共に、異なる階層にディレクトリやデータをコピー／移動した場合にはコピー／移動後の動作が保証できないという問題もあった。
【０００７】
本発明は上記問題点に鑑みてなされたものであり、その主たる目的は、複数の画像形成装置間のデータのコピー／移動の操作性を向上させることができる制御システム及び制御プログラム並びに制御方法を提供することにある。
【０００８】
また、本発明の他の目的は、複数の画像形成装置間のデータのコピー／移動を適切に実行することができる制御システム及び制御プログラム並びに制御方法を提供することにある。
【課題を解決するための手段】
【０００９】
上記目的を達成するため、本発明は、ｗｅｂサーバ機能を備えるコピー元／移動元の装置と、コピー先／移動先の装置と、ｗｅｂクライアント機能を備える制御装置と、が通信ネットワークで接続されてなる制御システムにおいて、前記コピー元／移動元の装置は、前記制御装置からの要求に従って、前記コピー先／移動先の装置に記憶されているデータの階層情報を取得し、取得した階層情報と自装置に記憶されているデータの階層情報とを合成した階層情報を前記制御装置に送信する制御を行い、前記制御装置は、前記コピー元／移動元の装置に記憶されているデータと前記コピー先／移動先の装置に記憶されているデータとが前記合成した階層情報に基づいて表示される画面を、表示部に表示させる制御を行うものである。
【００１０】
本発明においては、前記コピー元／移動元の装置又は前記制御装置は、前記画面でコピー／移動が指示された場合に、指定されたコピー元／移動元の階層と、指定されたコピー先／移動先の階層とに基づいて、コピー／移動させるデータを特定し、特定された前記データを、前記コピー先／移動先に、コピー／移動する制御を行う構成とすることができる。
【００１１】
また、本発明においては、前記コピー元／移動元の装置又は前記制御装置は、前記コピー先／移動先の階層が前記コピー元／移動元の階層よりも上位の階層の場合は、前記コピー元／移動元の上位の階層と共に、前記コピー元／移動元を、コピー／移動する制御を行う構成とすることができる。
【００１２】
また、本発明においては、前記コピー元／移動元の装置又は前記制御装置は、前記コピー先／移動先の階層が前記コピー元／移動元の階層よりも２階層上位の階層の場合は、前記コピー元／移動元の１階層上位の階層と共に、前記コピー元／移動元を、コピー／移動する制御を行う構成とすることができる。
【００１３】
また、本発明においては、前記コピー元／移動元の装置又は前記制御装置は、前記コピー先／移動先の階層が前記コピー元／移動元の階層と同位の階層の場合は、前記コピー先／移動先に、前記コピー元／移動元よりも下位の階層を、コピー／移動する制御を行う構成とすることができる。
【００１４】
また、本発明は、コピー先／移動先の装置と、ｗｅｂクライアント機能を備える制御装置と、に通信ネットワークで接続される、ｗｅｂサーバ機能を備えるコピー元／移動元の装置であって、前記制御装置からの要求に従って、前記コピー先／移動先の装置に記憶されているデータの階層情報を取得し、取得した階層情報と自装置に記憶されているデータの階層情報とを合成した階層情報を前記制御装置に送信する制御を行うものである。
【００１５】
また、本発明は、ｗｅｂサーバ機能を備えるコピー元／移動元の装置と、コピー先／移動先の装置と、に通信ネットワークで接続される、ｗｅｂクライアント機能を備える制御装置であって、前記コピー先／移動先の装置から、前記コピー元／移動元の装置に記憶されているデータの階層情報と前記コピー先／移動先の装置に記憶されているデータの階層情報とを合成した階層情報を受信し、前記コピー元／移動元の装置に記憶されているデータと前記コピー先／移動先の装置に記憶されているデータとが前記合成した階層情報に基づいて表示される画面を、表示部に表示させる制御を行うものである。
【００１６】
また、本発明は、前記コピー元／移動元の装置又は前記制御装置で動作するプログラムであって、コンピュータに、上記いずれか一に記載の制御を実行させるものである。
【００１７】
また、本発明は、ｗｅｂサーバ機能を備えるコピー元／移動元の装置と、コピー先／移動先の装置と、ｗｅｂクライアント機能を備える制御装置と、が通信ネットワークで接続されてなる制御システムにおける制御方法であって、前記コピー元／移動元の装置が、前記制御装置からの要求に従って、前記コピー先／移動先の装置に記憶されているデータの階層情報を取得し、取得した階層情報と自装置に記憶されているデータの階層情報とを合成した階層情報を前記制御装置に送信する第１のステップと、前記制御装置が、前記コピー元／移動元の装置に記憶されているデータと前記コピー先／移動先の装置に記憶されているデータとが前記合成した階層情報に基づいて表示される画面を、表示部に表示する第２のステップと、を少なくとも有するものである。
【００１８】
本発明においては、更に、前記画面でコピー／移動が指示された場合に、指定されたコピー元／移動元の階層と指定されたコピー先／移動先の階層とに基づいて、コピー／移動させるデータを特定し、特定された前記データを、前記コピー先／移動先に、コピー／移動する第３のステップを有する構成とすることができる。
【００１９】
また、本発明においては、前記第３のステップでは、前記コピー先／移動先の階層が前記コピー元／移動元の階層よりも上位の階層の場合は、前記コピー元／移動元の上位の階層と共に、前記コピー元／移動元を、コピー／移動する構成とすることができる。
【００２０】
また、本発明においては、前記第３のステップでは、前記コピー先／移動先の階層が前記コピー元／移動元の階層よりも２階層上位の階層の場合は、前記コピー元／移動元の１階層上位の階層と共に、前記コピー元／移動元を、コピー／移動する構成とすることができる。
【００２１】
また、本発明においては、前記第３のステップでは、前記コピー先／移動先の階層が前記コピー元／移動元の階層と同位の階層の場合は、前記コピー先／移動先に、前記コピー元／移動元よりも下位の階層を、コピー／移動する構成とすることができる。
【００２２】
このように、本発明では、コピー元／移動元の装置は、コピー先／移動先の装置のデータの階層情報と自装置のデータの階層情報とを合成した階層情報を制御装置に送信し、制御装置は、コピー元／移動元の装置のデータとコピー先／移動先の装置のデータとが合成した階層情報に基づいて表示される画面を表示部に表示させるため、ユーザは表示された画面を用いて、簡単かつ確実にデータのコピー／移動を指示することができ、操作性を格段に向上させることができる。
【００２３】
また、データのコピー／移動が指示された場合に、コピー元／移動元の階層構造とコピー先／移動先の階層構造とに基づき、予め定められたルールに従って、コピー／移動するデータが特定されるため、データの階層構造を崩すことなく適切にコピー／移動を実行することができる。
【発明の効果】
【００２４】
本発明の制御システム、制御システム及び制御プログラム並びに制御方法によれば、下記記載の効果を奏する。
【００２５】
本発明の第１の効果は、複数の画像形成装置間のデータのコピー／移動の操作性を向上させることができるということである。
【００２６】
その理由は、コピー元／移動元の画像形成装置と、コピー先／移動先の画像形成装置と、制御装置とが通信ネットワークで接続されてなる制御システムにおいて、ｗｅｂサーバ機能を備えるコピー元／移動元の画像形成装置は、ｗｅｂクライアント機能を備える制御装置からの要求に対して、コピー先／移動先の画像形成装置のデータの階層情報を取得し、取得した階層情報と自装置のデータの階層情報とを合成した階層情報を制御装置に返信し、制御装置は、第１の画像形成装置のデータと第２の画像形成装置のデータとが合成した階層情報に基づいて表示される画面を表示部に表示させるため、ユーザは表示された画面を用いて、簡単かつ確実にデータのコピー／移動を指示することができるからである。
【００２７】
また、本発明の第２の効果は、複数の画像形成装置間のデータのコピー／移動を適切に実行することができるということである。
【００２８】
その理由は、データのコピー／移動が指示された場合に、制御装置又はコピー元／移動元の画像形成装置は、コピー先／移動先の階層がコピー元／移動元の階層よりも上位の階層の場合は、コピー元／移動元の上位の階層と共に、コピー元／移動元をコピー／移動したり、コピー先／移動先の階層がコピー元／移動元の階層よりも２階層上位の階層の場合は、コピー元／移動元の１階層上位の階層と共に、コピー元／移動元をコピー／移動したり、コピー先／移動先の階層がコピー元／移動元の階層と同位の階層の場合は、コピー先／移動先に、コピー元／移動元よりも下位の階層を、コピー／移動するなどの制御を行うため、データの階層構造を崩すことなくコピー／移動することができるからである。
【発明を実施するための最良の形態】
【００２９】
本発明は、その好ましい一実施の形態において、データのコピー元／移動元である保存元画像形成装置と、データのコピー先／移動先である保存先画像形成装置と、保存元画像形成装置から保存先画像形成装置へのデータのコピー／移動を制御する制御装置と、が通信ネットワークで接続されてなる制御システムにおいて、ｗｅｂサーバ機能を備える保存元画像形成装置は、ｗｅｂクライアント機能を備える制御装置からの要求に対して、保存先画像形成装置のデータの階層情報を取得し、取得した階層情報と自装置のデータの階層情報とを合成した階層情報を制御装置に返信し、制御装置は、保存元画像形成装置のデータと保存先画像形成装置のデータとが合成した階層情報に基づいて表示される画面を表示部に表示させ、また、制御装置又は保存元画像形成装置は、その画面でコピー／移動が指示された場合に、コピー元／移動元の階層構造とコピー先／移動先の階層構造とに基づき、予め定められたルールに従って、コピー／移動させるデータを特定し、特定されたデータを、コピー先／移動先にコピー／移動する。これにより、複数の画像形成装置間のデータのコピー／移動の操作性を向上させることができると共に、データのコピー／移動を適切に実行することができる。
【実施例】
【００３０】
上記した本発明の実施の形態についてさらに詳細に説明すべく、本発明の一実施例に係る制御システム、画像形成装置及び制御プログラム並びに制御方法について、図１乃至図２６を参照して説明する。図１は、本実施例の制御システムの構成を模式的に示す図であり、図２は、画像形成装置の構成を示すブロック図、図３は、制御装置の構成を示すブロック図である。また、図４及び図５は、本実施例の制御装置の表示部に表示される画面の構成例を示す図であり、図６は、制御システム全体の動作を示すフロー図である。また、図７乃至図１６は、本実施例の制御システムにおけるデータのコピー／移動手順を示すフローチャート図であり、図１７乃至図２６は、保存元及び保存先の階層構造を示す図である。
【００３１】
図１に示すように、本実施例の制御システムは、画像データや印刷データなど（以下、単にデータと呼ぶ。）のコピー元／移動元となる１又は複数の保存元画像形成装置１０と、データのコピー先／移動先となる１又は複数の保存先画像形成装置２０と、データのコピー／移動を制御するコンピュータ端末や携帯端末などの１又は複数の制御装置３０とを含み、これらはＬＡＮ（Local Area Network）やＷＡＮ（Wide Area Network）などの通信ネットワークを介して接続されている。
【００３２】
また、図２に示すように、保存元画像形成装置１０（又は保存先画像形成装置２０）は、ＣＰＵ（Central Processing Unit）、ＲＯＭ（Read-Only Memory）、ＲＡＭ（Random-Access Memory）などで構成される制御部１１（２１）と、各種画面を表示するＬＣＤ（Liquid Crystal Display）等の表示部１２（２２）と、各種操作を行う操作部１３（２３）と、所定の階層構造でデータを保存するＨＤＤ（Hard Disk Drive）などの記憶部１４（２４）と、ＣＣＤ（Charge Coupled Devices）イメージセンサなどの撮像手段を用いて原稿を読み取り、光電変換されたアナログ信号に対し、アナログ処理、Ａ／Ｄ変換、シェーディング補正、画像圧縮処理等を行なって画像データを取得するスキャナ部１５（２５）と、取得した画像データに基づいて感光体ドラムに半導体レーザの光を照射して潜像を形成し、帯電、露光、現像の処理を行って、感光体ドラム上にトナー像を形成し、紙媒体に転写するプリンタ部１６（２６）と、通信ネットワークに接続するためのＮＩＣ（Network Interface Card）やモデムなどの通信Ｉ／Ｆ部１７（２７）などを備える。
【００３３】
上記保存元画像形成装置１０は、ブラウザなどのクライアントソフトウェアの要求に応じてデータを送信したり、プログラムを起動させるｗｅｂサーバ機能を備えており、制御部１１は、制御装置３０からの指示に従って、保存先画像形成装置２０から該装置のデータの階層構造を示す情報（以下、階層情報と呼ぶ。）を取得すると共に、自装置のデータの階層情報を取得し、それらを合成した階層情報を制御装置３０に送信する制御などを行う。
【００３４】
なお、保存元画像形成装置１０及び保存先画像形成装置２０には、少なくとも制御部１１（２１）と記憶部１４（２４）と通信Ｉ／Ｆ部１７（２７）とを備えていればよく、スキャナ部１５（２５）やプリンタ部１６（２６）などを省略してもよく、ＡＤＦ（Auto Document Feeder）や後処理部などを備えていてもよい。
【００３５】
また、図３に示すように、制御装置３０は、ＣＰＵ、ＲＯＭやＲＡＭなどで構成される制御部３１と、保存元／保存先を選択する画面やコピー／移動を指示する画面などを表示するＬＣＤなどの表示部３２と、各種操作を行うキーボードやマウスなどの操作部３３と、ＨＤＤなどの記憶部３４と、通信ネットワークに接続するためのＮＩＣやモデムなどの通信Ｉ／Ｆ部３５などを備える。
【００３６】
上記制御装置３０は、ｗｅｂクライアント機能（ブラウザ）を備えおり、制御部３１は、ｃｇｉ（Common Gateway Interface）を利用して、保存元画像形成装置１０に対して、保存先画像形成装置２０のデータの階層情報を取得させる指示を行うと共に、保存元画像形成装置１０から、保存先画像形成装置２０のデータの階層情報と保存元画像形成装置１０のデータの階層情報とを合成した階層情報を取得し、その情報に基づいて、保存元画像形成装置１０の記憶部１４に記憶されているデータと保存先画像形成装置２０の記憶部１４に記憶されているデータとを一つの画面に表示させる制御などを行う。
【００３７】
なお、保存元画像形成装置１０の制御部１１や制御装置３０の制御部３１で行う制御は、ハードウェアとして実行してもよいし、コンピュータに、上記制御を実行させる制御プログラムとして構成し、該制御プログラムを保存元画像形成装置１０や制御装置３０で実行させる構成としてもよい。
【００３８】
以下、本実施例の制御システムの動作について、図４及び図５の画面構成例、図６のフロー図を参照して具体的に説明する。
【００３９】
まず、図６の（１）において、制御装置３０の制御部３１は、表示部３２に図４に示すような画面を表示させ、ユーザにデータのコピー元／移動元となる保存元画像形成装置１０（ここではcopier1と呼ぶ。）と、データのコピー先／移動先となる保存先画像形成装置２０（ここではcopier2と呼ぶ。）とを選択させる。
【００４０】
次に、（２）、（３）において、制御部３１のｗｅｂクライアントは、保存元画像形成装置１０（copier1）にアクセスし、ＵＲＬ（Uniform Resource Locator）に保存先画像形成装置２０（copier2）のＵＲＬをｃｇｉのパラメータとして付加し、例えば、http://copier1/explorer.cgi?url=http://copier2のように記述してｗｅｂリクエストを発行する。
【００４１】
次に、（４）、（５）において、保存元画像形成装置１０（copier1）のｗｅｂサーバは、制御装置３０からのｗｅｂリクエストを受信し、保存先画像形成装置２０（copier2）からｈｔｔｐ（HyperText Transfer Protocol）経由で記憶部２４に記憶されているデータの階層情報を取得する。
【００４２】
次に、（６）において、保存元画像形成装置１０（copier1）のｗｅｂサーバは、自装置の記憶部１４に記憶されているデータの階層情報を取得する。
【００４３】
次に、（７）において、保存元画像形成装置１０（copier1）のｗｅｂサーバは、保存先画像形成装置２０（copier2）から取得した階層情報と自装置の階層情報とを比較し、同じ階層のディレクトリ（例えば、ボックスディレクトリ）を並列に並べるなどの処理を行って階層情報を合成する。
【００４４】
次に、（８）において、保存元画像形成装置１０（copier1）のｗｅｂサーバは、合成した階層情報をｈｔｍｌ（HyperText Markup Language）などで記述し、制御装置３０にｗｅｂレスポンスを送信する。
【００４５】
そして、（９）、（１０）において、制御装置３０のｗｅｂクライアントは、ｗｅｂサーバからのｗｅｂレスポンスを受信し、受信した階層情報に基づいて、表示部３２に図５（ａ）に示すような画面を表示する。この画面には、双方の装置に記憶されているデータが同じ階層構造で同時に表示されるため、ユーザはこの画面を見てコピー／移動を行うデータを簡単に選択することができる。従って、ユーザ自らが保存元画像形成装置１０及び保存先画像形成装置２０の各々にアクセスしてその階層情報を調べる必要はなく、操作性を格段に向上させることができる。
【００４６】
次に、（１１）〜（１４）において、ユーザが画面上でコピー／移動するデータを選択（ここではboxC内のfile1〜4を選択）して、保存元画像形成装置１０（copier1）のｗｅｂサーバにコピー／移動を指示（ここでは、コピーボタンを押下）すると、保存元画像形成装置１０の制御部１１は、選択されたデータを記憶部１４から読み出して保存先画像形成装置２０（copier2）に送信し、保存先画像形成装置２０（copier2）の制御部２１は、受信したデータを記憶部２４に記憶する。
【００４７】
その際、図５（ａ）に示すように、保存先画像形成装置２０（copier2）の記憶部２４にはBoxCが存在しないことから、制御装置３０の制御部３１、又は、保存元画像形成装置１０の制御部１１は、双方の装置の階層情報に基づいて送信すべきデータを特定し、この場合はfile1〜4を格納するBoxCごと、保存先画像形成装置２０（copier2）に送信し、制御装置３０の制御部３１は、表示部３２に図５（ｂ）に示すように、保存先画像形成装置２０（copier2）にboxCを追加した画面を表示させる。
【００４８】
なお、図５では、保存元画像形成装置１０（copier1）及び保存先画像形成装置２０（copier2）の階層構造がbox／fileの場合を示したが、user／box／fileのような３階層で管理される場合、コピー／移動するデータを格納するディレクトリの階層が、保存元画像形成装置１０（copier1）と保存先画像形成装置２０（copier2）とで異なると、コピー／移動後の動作が保証できないという問題が生じることから、本実施例では、制御装置３０の制御部３１、又は、保存元画像形成装置１０の制御部１１は、双方の装置の階層情報に基づき、所定のルールに従ってコピー／移動を制御する。以下、コピー元／移動元の階層とコピー先／移動先の階層に応じて場合分けして説明する。
【００４９】
［Root To Root Copy］
まず、保存元のルートディレクトリを保存先のルートディレクトリにコピー／移動する場合について、図７のフローチャート図を参照して説明する。
【００５０】
ユーザが保存元及び保存先を指定してルート書き込みを指示すると、制御部１１又は制御部３１は、ステップＳ１０１で保存元のユーザ情報（例えば、保存元に予め作成されているユーザフォルダの名称）を一つ取得し、ステップＳ１０２で保存先のユーザ情報（例えば、保存先に予め作成されているユーザディレクトリの名称）を一つ取得する。
【００５１】
次に、ステップＳ１０３で取得したユーザ情報が同一か否かを判断し、同一でない場合は、ステップＳ１０４で保存先の全てのユーザ情報を確認したかを判断し、保存先に確認していないユーザ情報がある場合は、ステップＳ１０２に戻って保存先の他のユーザ情報を取得し、同様の処理を繰り返す。
【００５２】
一方、保存先の全てのユーザ情報を確認した場合は、ステップＳ１０１で取得した保存元のユーザ情報が保存先のユーザディレクトリの階層に存在しないことから、ステップＳ１０５で、保存先にそのユーザ情報を作成（例えば、その名称のユーザディレクトリを新規作成）してステップＳ１０６に遷移する。また、ステップＳ１０３でユーザ情報が同一の場合は、ステップＳ１０７で、保存元のユーザ情報を保存先に上書きするかを判断し、上書きしない場合はステップＳ１０６に遷移する。
【００５３】
そして、ステップＳ１０６で、保存元の全てのユーザ情報に対して確認したかを判断し、保存元に確認してないユーザ情報がある場合はステップＳ１０１に戻って保存元の他のユーザ情報を取得し、同様の処理を繰り返す。一方、保存元の全てのユーザ情報を確認した場合は、保存準備を完了する。
【００５４】
また、保存元のユーザ情報を保存先に上書きする場合は、そのユーザディレクトリの下位の階層に存在するボックス情報を確認する必要があるため、ステップＳ１０８で保存元のボックス情報（例えば、保存元に予め作成されているボックスディレクトリの名称）を一つ取得し、ステップＳ１０９で保存先のボックス情報（例えば、保存先に予め作成されているボックスフォルダの名称）を一つ取得する。
【００５５】
次に、ステップＳ１１０で取得したボックス情報が同一か否かを判断し、同一でない場合は、ステップＳ１１１で保存先の全てのボックス情報を確認したかを判断し、保存先に確認していないボックス情報がある場合はステップＳ１０９に戻って保存先の他のボックス情報を取得し、同様の処理を繰り返す。
【００５６】
一方、保存先の全てのボックス情報を確認した場合は、保存元のボックス情報が保存先のボックスディレクトリの階層に存在しないことから、ステップＳ１１２で、保存先にそのボックス情報を作成（例えば、その名称のボックスディレクトリを新規作成）してステップＳ１１３に遷移する。また、取得したボックス情報が同一の場合は、ステップＳ１１４で保存元のボックス情報を保存先に上書きするかを判断し、上書きしない場合はステップＳ１１３に遷移する。
【００５７】
そして、ステップＳ１１３で保存元の全てのボックス情報に対して確認したかを判断し、保存元に確認してないボックス情報がある場合はステップＳ１０８に戻って保存元の他のボックス情報を取得し、同様の処理を繰り返す。一方、保存元の全てのボックス情報を確認した場合は、前述したステップＳ１０６に遷移する。
【００５８】
また、保存元のボックス情報を保存先に上書きする場合は、同一ボックスディレクトリの下位の階層に存在するファイル情報を確認する必要があるため、ステップＳ１１５で保存元のファイル情報（例えば、保存元に予め記憶されているファイルの名称）を一つ取得し、ステップＳ１１６で保存先のファイル情報（例えば、保存先に予め記憶されているファイルの名称）を一つ取得する。
【００５９】
次に、ステップＳ１１７で、取得したファイル情報が同一か否かを判断し、同一でない場合は、ステップＳ１１８で保存先の全てのファイル情報を確認したかを判断し、保存先に確認していないファイル情報がある場合はステップＳ１１６に戻って保存先の他のファイル情報を取得し、同様の処理を繰り返す。
【００６０】
一方、保存先の全てのファイル情報を確認した場合は、保存元のファイル情報が保存先に存在しないことから、ステップＳ１１９で、保存先にそのファイル情報を登録（例えば、その名称のファイルを新規作成）してステップＳ１２０に遷移する。また、取得したファイル情報が同一の場合は、ステップＳ１２１で、保存元のファイル情報を保存先に上書きするかを判断し、上書きしない場合はステップＳ１２０に遷移し、上書きする場合はファイルの上書きを行った後、ステップＳ１２０に遷移する。
【００６１】
そして、ステップＳ１２０で、保存元の全てのファイル情報に対して確認したかを判断し、保存元に確認してないファイル情報がある場合はステップＳ１１５に戻って保存元の他のファイル情報を取得し、同様の処理を繰り返す。一方、保存元の全てのファイル情報を確認した場合は、前述したステップＳ１１３に遷移する。
【００６２】
上記フローで保存元のRootをコピー／移動する場合は、例えば図１７のようになる。図１７（図１８乃至図２６も同様）の左側は保存元の階層構造を示し、右側はコピー／移動後の保存先の階層構造を示している。また、保存先において、白枠は元々存在するディレクトリ、網掛け枠はコピー／移動後に作成されたディレクトリを示している。図１７に示すように、保存先のルートディレクトリの下位の階層にUserA及びUserBが作成され、UserAの下位の階層にBoxA〜BoxB、UserBの下位の階層にBoxCが作成され、BoxAの下位の階層にFileA〜FileB、BoxBの下位の階層にFileC〜FileD、BoxCの下位の階層にFileEが作成される。
【００６３】
［User To Root Copy］
次に、保存元のユーザディレクトリを保存先のルートディレクトリにコピー／移動する場合について、図８のフローチャート図を参照して説明する。
【００６４】
ユーザが保存元及び保存先を指定してユーザ書き込みを指示すると、制御部１１又は制御部３１は、ステップＳ２０１で保存先のユーザ情報を一つ取得し、ステップＳ２０２で書き込み対象となるユーザ情報と同一か否かを判断し、同一でない場合は、ステップＳ２０３で保存先の全てのユーザ情報を確認したかを判断し、保存先に確認していないユーザ情報がある場合はステップＳ２０１に戻って保存先の他のユーザ情報を取得し、同様の処理を繰り返す。
【００６５】
一方、保存先の全てのユーザ情報を確認した場合は、保存元のユーザ情報が保存先のユーザディレクトリの階層に存在しないことから、ステップＳ２０４で、保存先にそのユーザ情報を作成して保存準備を完了する。また、ユーザ情報が同一の場合は、ステップＳ２０５で保存元のユーザ情報を保存先に上書きするかを判断し、上書きしない場合はコピー／移動することができないため、保存を強制終了する。
【００６６】
以下、図７のステップＳ１０８〜Ｓ１２２と同様に、ステップＳ２０６〜Ｓ２２０の処理を行う。
【００６７】
上記フローで保存元のUserAをコピー／移動する場合は、例えば図１８（ａ）のようになり、保存先のルートディレクトリの下位の階層にUserAが作成され、UserAの下位の階層にBoxA〜BoxBが作成され、BoxAの下位の階層にFileA〜FileB、BoxBの下位の階層にFileC〜FileDが作成される。
【００６８】
また、保存先にUserAが存在している場合は、例えば図１８（ｂ）のようになり、保存先に元々存在するUserAの下位の階層にBoxA〜BoxBが作成され、BoxAの下位の階層にFileA〜FileB、BoxBの下位の階層にFileC〜FileDが作成される。
【００６９】
［User To User Copy］
次に、保存元のユーザディレクトリを保存先のユーザディレクトリにコピー／移動する場合について、図９のフローチャート図を参照して説明する。
【００７０】
ユーザが保存元及び保存先を指定してユーザ書き込みを指示すると、制御部１１又は制御部３１は、ステップＳ３０１で保存元のユーザ情報を保存先に上書きするかを判断し、上書きしない場合はコピー／移動することができないため、保存を強制終了する。
【００７１】
以下、図７のステップＳ１０８〜Ｓ１２２と同様に、ステップＳ３０２〜Ｓ３１６の処理を行う。
【００７２】
上記フローで保存元のUserAをコピー／移動する場合は、例えば図１９のようになり、保存先に元々存在するUserBの下位の階層にBoxA〜BoxBが作成され、BoxAの下位の階層にFileA〜FileB、BoxBの下位の階層にFileC〜FileDが作成される。
【００７３】
［Box To Root Copy］
次に、保存元のボックスディレクトリを保存先のルートディレクトリにコピー／移動する場合について、図１０のフローチャート図を参照して説明する。
【００７４】
ユーザが保存元及び保存先を指定してボックス書き込みを指示すると、制御部１１又は制御部３１は、ステップＳ４０１で保存先のユーザ情報を一つ取得し、ステップＳ４０２で書き込み対象となるボックスの上位のユーザ情報と同一か否かを判断し、同一でない場合は、ステップＳ４０３で保存先の全てのユーザ情報を確認したかを判断し、保存先に確認していないユーザ情報がある場合はステップＳ４０１に戻って保存先の他のユーザ情報を取得し、同様の処理を繰り返す。
【００７５】
一方、保存先の全てのユーザ情報を確認した場合は、保存元のユーザ情報が保存先のユーザディレクトリの階層に存在しないことから、ステップＳ４０４で保存先に任意のユーザ情報（書き込み対象となるボックスの上位のユーザ情報と同じであってもよいし、異なっていてもよい。）を作成してステップＳ４０９に遷移する。また、ユーザ情報が同一の場合は、ステップＳ４０５で保存元のユーザ情報を保存先に上書きするかを判断し、上書きしない場合はコピー／移動することができないため、保存を強制終了する。
【００７６】
また、保存元のユーザ情報を保存先に上書きする場合は、ステップＳ４０６で保存先のボックス情報を一つ取得し、ステップＳ４０７で書き込み対象となるボックス情報と同一か否かを判断し、同一でない場合は、ステップＳ４０８で保存先の全てのボックス情報を確認したかを判断し、保存先に確認していないボックス情報がある場合はステップＳ４０６に戻って保存先の他のボックス情報を取得し、同様の処理を繰り返す。
【００７７】
一方、保存先の全てのボックス情報を確認した場合は、ステップＳ４０９で、保存先にそのボックス情報を作成して保存準備を完了する。また、ボックス情報が同一の場合は、ステップＳ４１０で、保存元のボックス情報を保存先に上書きするかを判断し、上書きしない場合はコピー／移動することができないため、保存を強制終了する。
【００７８】
以下、図７のステップＳ１１５〜Ｓ１２２と同様に、ステップＳ４１１〜Ｓ４１８の処理を行う。
【００７９】
上記フローで保存元のBoxBをコピー／移動する場合は、例えば図２０（ａ）のようになり、Rootの下位の階層にUserA（ユーザ情報は任意）が作成され、その下位の階層にBoxBが作成され、その下位の階層にFileC〜FileDが作成される。
【００８０】
また、保存先にUserAが存在している場合は、例えば図２０（ｂ）のようになり、保存先に元々存在するUserAの下位の階層にBoxBが作成され、その下位の階層にFileC〜FileDが作成される。
【００８１】
また、保存先にUserA、BoxBが存在している場合は、例えば図２０（ｃ）のようになり、保存先に元々存在するUserA、BoxBの下位の階層にFileC〜FileDが作成される。
【００８２】
［Box To User Copy］
次に、保存元のボックスディレクトリを保存先のユーザディレクトリにコピー／移動する場合について、図１１のフローチャート図を参照して説明する。
【００８３】
ユーザが保存元及び保存先を指定してボックス書き込みを指示すると、制御部１１又は制御部３１は、ステップＳ５０１で保存先のボックス情報を一つ取得し、ステップＳ５０２で書き込み対象となるボックス情報と同一か否かを判断し、同一でない場合は、ステップＳ５０３で保存先の全てのボックス情報を確認したかを判断し、保存先に確認していないユーザ情報がある場合はステップＳ５０１に戻って保存先の他のボックス情報を取得し、同様の処理を繰り返す。
【００８４】
一方、保存先の全てのボックス情報を確認した場合は、保存元のボックス情報が保存先のボックスディレクトリの階層に存在しないことから、ステップＳ５０４で保存先にそのボックス情報を作成して保存準備を完了する。また、ボックス情報が同一の場合は、ステップＳ５０５で保存元のボックス情報を保存先に上書きするかを判断し、上書きしない場合はコピー／移動することができないため、保存を強制終了する。
【００８５】
以下、図１０のステップＳ４１１〜Ｓ４１８と同様に、ステップＳ５０６〜Ｓ５１３の処理を行う。
【００８６】
上記フローで保存元のBoxBをコピー／移動する場合は、例えば図２１（ａ）のようになり、保存先に元々存在するUserAの下位の階層にBoxBが作成され、その下位の階層にFileC〜FileDが作成される。
【００８７】
また、保存先にUserA、BoxBが存在している場合は、例えば図２１（ｂ）のようになり、保存先に元々存在するUserA、BoxBの下位の階層にFileC〜FileDが作成される。
【００８８】
［Box To Box Copy］
次に、保存元のボックスディレクトリを保存先のボックスディレクトリにコピー／移動する場合について、図１２のフローチャート図を参照して説明する。
【００８９】
ユーザが保存元及び保存先を指定してボックス書き込みを指示すると、制御部１１又は制御部３１は、ステップＳ６０１で保存元のボックス情報を保存先に上書きするかを判断し、上書きしない場合はコピー／移動することができないため、保存を強制終了する。
【００９０】
以下、図１０のステップＳ４１１〜Ｓ４１８と同様に、ステップＳ６０２〜Ｓ６０９の処理を行う。
【００９１】
上記フローで保存元のBoxBをコピー／移動する場合は、例えば図２２のようになり、保存先に元々存在するBoxCの下位の階層にFileC〜FileDが作成される。
【００９２】
［File To Root Copy］
次に、保存元のファイルデータを保存先のルートディレクトリにコピー／移動する場合について、図１３のフローチャート図を参照して説明する。
【００９３】
ユーザが保存元及び保存先を指定してファイル書き込みを指示すると、制御部１１又は制御部３１は、ステップＳ７０１で保存先のユーザ情報を一つ取得し、ステップＳ７０２で書き込み対象となるファイルの上位のユーザ情報と同一か否かを判断し、同一でない場合は、ステップＳ７０３で保存先の全てのユーザ情報を確認したかを判断し、保存先に確認していないユーザ情報がある場合はステップＳ７０１に戻って保存先の他のユーザ情報を取得して同様の処理を繰り返す。
【００９４】
一方、保存先の全てのユーザ情報を確認した場合は、保存元のユーザ情報が保存先のユーザディレクトリの階層に存在しないことから、ステップＳ７０４で保存先に任意のユーザ情報を作成してステップＳ７０９に遷移する。また、ユーザ情報が同一の場合は、ステップＳ７０５で保存元のユーザ情報を保存先に上書きするかを判断し、上書きしない場合はコピー／移動することができないため、保存を強制終了する。
【００９５】
また、保存元のユーザ情報を保存先に上書きする場合は、ステップＳ７０６で保存先のボックス情報を一つ取得し、ステップＳ７０７で書き込み対象となるファイルの上位のボックス情報と同一か否かを判断し、同一でない場合は、ステップＳ７０８で保存先の全てのボックス情報を確認したかを判断し、保存先に確認していないボックス情報がある場合はステップＳ７０６に戻って保存先の他のボックス情報を取得し、同様の処理を繰り返す。
【００９６】
一方、保存先の全てのボックス情報を確認した場合は、保存元のボックス情報が保存先のボックスディレクトリの階層に存在しないことから、ステップＳ７０９で、保存先に任意のボックス情報を作成してステップＳ７１４に遷移する。また、ボックス情報が同一の場合は、ステップＳ７１０で、保存元のボックス情報を保存先に上書きするかを判断し、上書きしない場合はコピー／移動することができないため、保存を強制終了する。
【００９７】
また、保存元のボックス情報を保存先に上書きする場合は、ステップＳ７１１で保存先のファイル情報を一つ取得し、ステップＳ７１２で書き込み対象となるファイル情報と同一か否かを判断し、同一でない場合は、ステップＳ７１３で保存先の全てのファイル情報を確認したかを判断し、保存先に確認していないファイル情報がある場合はステップＳ７１１に戻って保存先の他のファイル情報を取得し、同様の処理を繰り返す。
【００９８】
一方、保存先の全てのファイル情報を確認した場合は、保存元のファイル情報が保存先に存在しないことから、ステップＳ７１４で保存先にそのファイル情報を作成して保存準備を完了する。また、ファイル情報が同一の場合は、ステップＳ７１５で、保存元のファイル情報を保存先に上書きするかを判断し、上書きしない場合はコピー／移動することができないため、保存を強制終了し、上書きする場合はファイルの上書きを行った後、保存準備を完了する。
【００９９】
上記フローで保存元のFileEをコピー／移動する場合は、例えば図２３（ａ）のようになり、保存先のRootの下位の階層にUserB（ユーザ情報は任意）が作成され、その下位の階層にBoxC（ボックス情報は任意）が作成され、その下位の階層にFileEが作成される。
【０１００】
また、保存先にUserBが存在している場合は、例えば図２３（ｂ）のようになり、保存先に元々存在するUserBの下位の階層にBoxCが作成され、その下位の階層にFileEが作成される。
【０１０１】
また、保存先にUserB、BoxCが存在している場合は、例えば図２３（ｃ）のようになり、保存先に元々存在するUserB、BoxCの下位の階層にFileEが作成される。
【０１０２】
［File To User Copy］
次に、保存元のファイルデータを保存先のユーザディレクトリにコピー／移動する場合について、図１４のフローチャート図を参照して説明する。
【０１０３】
ユーザが保存元及び保存先を指定してファイル書き込みを指示すると、制御部１１又は制御部３１は、ステップＳ８０１で保存元のユーザ情報を保存先に上書きするかを判断し、上書きしない場合はコピー／移動することができないため、保存を強制終了する。
【０１０４】
以下、図１３のステップＳ７０６〜Ｓ７１６と同様に、ステップＳ８０２〜Ｓ８１２の処理を行う。
【０１０５】
上記フローで保存元のFileEをコピー／移動する場合は、例えば図２４（ａ）のようになり、保存先に元々存在するUserAの下位の階層にBoxC（ボックス情報は任意）が作成され、その下位の階層にFileEが作成される。
【０１０６】
また、保存先にBoxCが存在している場合は、例えば図２４（ｂ）のようになり、保存先に元々存在するBoxCの下位の階層にFileEが作成される。
【０１０７】
［File To Box Copy］
次に、保存元のファイルデータを保存先のボックスディレクトリにコピー／移動する場合について、図１５のフローチャート図を参照して説明する。
【０１０８】
ユーザが保存元及び保存先を指定してファイル書き込みを指示すると、制御部１１又は制御部３１は、ステップＳ９０１で保存元のボックス情報を保存先に上書きするかを判断し、上書きしない場合はコピー／移動することができないため、保存を強制終了する。
【０１０９】
以下、図１３のステップＳ７１１〜Ｓ７１６と同様に、ステップＳ９０２〜Ｓ９０７の処理を行う。
【０１１０】
上記フローで保存元のFileEをコピー／移動する場合は、例えば図２５のようになり、保存先に元々存在するUserA-BoxAの下位の階層にFileEが作成される。
【０１１１】
［File To File Copy］
次に、保存元のファイルデータを保存先にコピー／移動する場合について、図１６のフローチャート図を参照して説明する。
【０１１２】
ユーザが保存元及び保存先を指定してファイル書き込みを指示すると、制御部１１又は制御部３１は、ステップＳ１００１で、保存元のファイル情報を保存先に上書きするかを判断し、上書きしない場合はコピー／移動することができないため、保存を強制終了する。また、保存元のボックス情報を保存先に上書きする場合は、ステップＳ１００２でファイルの上書きを行った後、保存準備を完了する。
【０１１３】
上記フローで保存元のFileEをコピー／移動する場合は、例えば図２６のようになり、保存先に元々存在するFileAにFileEが上書きされる。
【０１１４】
このように、制御部１１又は制御部３１では、コピー先／移動先の階層がコピー元／移動元の階層よりも上位の階層の場合に、コピー元／移動元の上位の階層と共にコピー元／移動元をコピー／移動したり、コピー先／移動先より下位の階層にコピー元／移動元よりも上位の階層と同じフォルダが存在する場合に、コピー先／移動先における該フォルダの下位の階層にコピー元／移動元をコピー／移動したり、コピー先／移動先より下位の階層にコピー元／移動元と同じフォルダが存在する場合に、コピー先／移動先における該フォルダの下位の階層にコピー元／移動元より下位の階層をコピー／移動したり、コピー先／移動先の階層がコピー元／移動元の階層と同位の階層の場合に、コピー先／移動先にコピー元／移動元より下位の階層をコピー／移動するなどの制御を行うため、データの階層構造を崩すことなくコピー／移動することができる。
【０１１５】
なお、上記実施例では、階層構造をユーザ／ボックス／ファイルの３層構造としたが、保存元及び保存先に同じ構成の２層以上の階層構造を備えていればよい。また、上記実施例では、保存元と保存先とで同じ階層構造を備える構成としたが、保存先には、保存元の階層構造を含んでいればよく、その上位又は下位に別の階層を備えていてもよい。また、上記実施例では、画像形成装置間でデータをコピー／移動する場合を示したが、本発明は上記実施例に限定されるものではなく、任意の装置から他の装置にデータをコピー／移動する場合に対して同様に適用することができる。
【産業上の利用可能性】
【０１１６】
本発明は、ｗｅｂサーバ機能を備える画像形成装置に記憶された任意のデータを、他の画像形成装置にコピー／移動する制御を行う制御システム、制御プログラム、制御方法に利用可能である。
【図面の簡単な説明】
【０１１７】
【図１】本発明の一実施例に係る制御システムの構成を模式的に示す図である。
【図２】本発明の一実施例に係る保存元画像形成装置及び保存先画像形成装置の構成を模式的に示す図である。
【図３】本発明の一実施例に係る制御装置の構成を模式的に示す図である。
【図４】本発明の一実施例に係る制御装置の表示部に表示される画面の構成例を示す図である。
【図５】本発明の一実施例に係る制御装置の表示部に表示される画面の構成例を示す図である。
【図６】本発明の一実施例に係る制御システム全体の動作を示すフロー図である。
【図７】本発明の一実施例に係る制御システムにおけるコピー／移動手順（Root To Root Copy）を示すフローチャート図である。
【図８】本発明の一実施例に係る制御システムにおけるコピー／移動手順（User To Root Copy）を示すフローチャート図である。
【図９】本発明の一実施例に係る制御システムにおけるコピー／移動手順（User To User Copy）を示すフローチャート図である。
【図１０】本発明の一実施例に係る制御システムにおけるコピー／移動手順（Box To Root Copy）を示すフローチャート図である。
【図１１】本発明の一実施例に係る制御システムにおけるコピー／移動手順（Box To User Copy）を示すフローチャート図である。
【図１２】本発明の一実施例に係る制御システムにおけるコピー／移動手順（Box To Box Copy）を示すフローチャート図である。
【図１３】本発明の一実施例に係る制御システムにおけるコピー／移動手順（File To Root Copy）を示すフローチャート図である。
【図１４】本発明の一実施例に係る制御システムにおけるコピー／移動手順（File To User Copy）を示すフローチャート図である。
【図１５】本発明の一実施例に係る制御システムにおけるコピー／移動手順（File To Box Copy）を示すフローチャート図である。
【図１６】本発明の一実施例に係る制御システムにおけるコピー／移動手順（File To File Copy）を示すフローチャート図である。
【図１７】Root To Root Copyの場合の保存元及び保存先の階層例を示す図である。
【図１８】User To Root Copyの場合の保存元及び保存先の階層例を示す図である。
【図１９】User To User Copyの場合の保存元及び保存先の階層例を示す図である。
【図２０】Box To Root Copyの場合の保存元及び保存先の階層例を示す図である。
【図２１】Box To User Copyの場合の保存元及び保存先の階層例を示す図である。
【図２２】Box To Box Copyの場合の保存元及び保存先の階層例を示す図である。
【図２３】File To Root Copyの場合の保存元及び保存先の階層例を示す図である。
【図２４】File To User Copyの場合の保存元及び保存先の階層例を示す図である。
【図２５】File To Box Copyの場合の保存元及び保存先の階層例を示す図である。
【図２６】File To File Copyの場合の保存元及び保存先の階層例を示す図である。
【符号の説明】
【０１１８】
１０  保存元画像形成装置
１１、２１  制御部
１２、２２  表示部
１３、２３  操作部
１４、２４  記憶部
１５、２５  スキャナ部
１６、２６  プリンタ部
１７、２７  通信Ｉ／Ｆ部
２０  保存先画像形成装置
３０  制御装置
３１  制御部
３２  表示部
３３  操作部
３４  記憶部
３５  通信Ｉ／Ｆ部
【図１】
2008262499.tif 000003
【図２】
2008262499.tif 000004
【図３】
2008262499.tif 000005
【図４】
2008262499.tif 000006
【図５】
2008262499.tif 000007
【図６】
2008262499.tif 000008
【図７】
2008262499.tif 000009
【図８】
2008262499.tif 000010
【図９】
2008262499.tif 000011
【図１０】
2008262499.tif 000012
【図１１】
2008262499.tif 000013
【図１２】
2008262499.tif 000014
【図１３】
2008262499.tif 000015
【図１４】
2008262499.tif 000016
【図１５】
2008262499.tif 000017
【図１６】
2008262499.tif 000018
【図１７】
2008262499.tif 000019
【図１８】
2008262499.tif 000020
【図１９】
2008262499.tif 000021
【図２０】
2008262499.tif 000022
【図２１】
2008262499.tif 000023
【図２２】
2008262499.tif 000024
【図２３】
2008262499.tif 000025
【図２４】
2008262499.tif 000026
【図２５】
2008262499.tif 000027
【図２６】
2008262499.tif 000028